(57)【要約】【課題】他の形態変化玩具と組み合わせて遊ぶことができ、新規な印象を与える玩具装置を提供する。【解決手段】複数の回動部材２０を回動させることで可逆的に形態が変化する形態変化玩具１０と、前記形態変化玩具１０を設置可能な基台５０と、を有し、前記形態変化玩具１０は、前記複数の回動部材２０を回動させるための回動機構と、前記回動機構を作動させるための操作子１４と、を備え、前記基台５０は、前記操作子１４が連結される作動部６４と、前記作動部６４を外部から操作させるための操作部６８と、を備え、前記操作部６８が操作されると、前記操作子１４が前記作動部６４を介して応動し、前記回動機構が作動するようにした。【選択図】図２１
2011254988.tif 000002
【特許請求の範囲】
【請求項１】
複数の回動部材を回動させることで可逆的に形態が変化する形態変化玩具と、
前記形態変化玩具を設置可能な基台と、
を有し、
前記形態変化玩具は、前記複数の回動部材を回動させるための回動機構と、前記回動機構を作動させるための操作子と、を備え、
前記基台は、前記操作子が連結される作動部と、前記作動部を外部から操作させるための操作部と、を備え、
前記操作部が操作されると、前記操作子が前記作動部を介して応動し、前記回動機構が作動することを特徴とする、玩具装置。
【請求項２】
前記形態変化玩具は、第１の形態から第２の形態へと形態が変化するものであって、
前記操作子は、前記第１の形態及び前記第２の形態のいずれにおいても底面となる面に設けられていることを特徴とする、請求項１記載の玩具装置。
【請求項３】
前記基台は、ベース体と、前記ベース体に対して相対的に摺動可能な玩具取付部と、を備えるとともに、前記作動部は前記玩具取付部に形成されており、
前記操作部が操作されたときに、前記作動部が作動するとともに、前記玩具取付部が摺動することを特徴とする、請求項１又は２記載の玩具装置。
【請求項４】
前記基台は、外部から操作可能な補助操作部を更に備え、
前記補助操作部と前記操作部との相対的位置が変化したときに前記作動部が作動することを特徴とする、請求項３記載の玩具装置。
【請求項５】
前記基台の先端には、他の基台と連結するための連結部が設けられ、
前記玩具取付部は、前記基台の先端方向に向かって摺動可能であることを特徴とする、請求項３又は４記載の玩具装置。
【発明の詳細な説明】
【技術分野】
【０００１】
この発明は、可逆的に形態が変化する形態変化玩具と、この形態変化玩具を設置可能な基台とを有する玩具装置に関し、特に、基台に設けられた操作部を操作することによって形態変化玩具の形態を変化させる玩具装置に関するものである。
【背景技術】
【０００２】
従来、乗物や動物等の一つの形態からロボット等の他の形態に可逆的に形態が変化する形態変化玩具が知られている。こうした形態変化玩具は、基本的に構成部品を順次手動で操作して形態を変化させて遊ぶものであったため、操作の手順が煩雑であった。そこで、簡単な操作で玩具の形態を変化させることができる形態変化玩具も提案されている。
【０００３】
例えば、特許文献１には、操作体を操作してスライド部材を前方にスライドさせると形態が変化する形態変化玩具が開示されている。
【先行技術文献】
【特許文献】
【０００４】
【特許文献１】特開平９−１０４４２号公報
【発明の概要】
【発明が解決しようとする課題】
【０００５】
しかし、上記した特許文献１記載の形態変化玩具は、単に操作体を操作して形態を変化させるものであり、他の形態変化玩具と組み合わせて遊ぶものではなかった。
【０００６】
そこで、本発明は、他の形態変化玩具と組み合わせて遊ぶことができ、新規な印象を与える玩具装置を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の玩具装置は、複数の回動部材を回動させることで可逆的に形態が変化する形態変化玩具と、前記形態変化玩具を設置可能な基台と、を有し、前記形態変化玩具は、前記複数の回動部材を回動させるための回動機構と、前記回動機構を作動させるための操作子と、を備え、前記基台は、前記操作子が連結される作動部と、前記作動部を外部から操作させるための操作部と、を備え、前記操作部が操作されると、前記操作子が前記作動部を介して応動し、前記回動機構が作動することを特徴とする。
【００１０】
（請求項２）
請求項２に記載の発明は、上記した請求項１記載の発明の特徴点に加え、以下の点を特徴とする。
【００１１】
すなわち、前記形態変化玩具は、第１の形態から第２の形態へと形態が変化するものであって、前記操作子は、前記第１の形態及び前記第２の形態のいずれにおいても底面となる面に設けられていることを特徴とする。
【００１２】
（請求項３）
請求項３に記載の発明は、上記した請求項１又は２記載の発明の特徴点に加え、以下の点を特徴とする。
【００１３】
すなわち、前記基台は、ベース体と、前記ベース体に対して相対的に摺動可能な玩具取付部と、を備えるとともに、前記作動部は前記玩具取付部に形成されており、前記操作部が操作されたときに、前記作動部が作動するとともに、前記玩具取付部が摺動することを特徴とする。
【００１４】
（請求項４）
請求項４に記載の発明は、上記した請求項３記載の発明の特徴点に加え、以下の点を特徴とする。
【００１５】
すなわち、前記基台は、外部から操作可能な補助操作部を更に備え、前記補助操作部と前記操作部との相対的位置が変化したときに前記作動部が作動することを特徴とする。
【００１６】
（請求項５）
請求項５に記載の発明は、上記した請求項３又は４に記載の発明の特徴点に加え、以下の点を特徴とする。
【００１７】
すなわち、前記基台の先端部には、他の基台と連結するための連結部が設けられ、前記玩具取付部は、前記基台の先端部方向に向かって摺動可能であることを特徴とする。
【発明の効果】
【００１８】
請求項１に記載の発明は上記の通りであり、形態変化玩具を設置可能な基台を備え、基台の操作部が操作されると形態変化玩具の操作子が応動し、回動機構が作動して形態変化玩具の形態が変化するように形成されている。すなわち、形態変化専用の基台を操作することで形態を変化させることができるので、形態変化の態様にかかわらず、違う形態変化玩具を基台に装着した場合でも同じ操作で形態変化を実行することができる。
【００１９】
また、請求項２に記載の発明は上記の通りであり、前記形態変化玩具は、第１の形態から第２の形態へと形態が変化するものであって、前記操作子は、前記第１の形態及び前記第２の形態のいずれにおいても底面となる面に設けられている。このため、形態変化玩具を基台に設置する場合には、底面を有する部材が基台に固定されることとなり、この固定された部材をベースとして複数の回動部材が回動して形態が変化する。このため、例えば基部の上に立ち上がるように形態変化させることができ、新規な印象を与える玩具装置を提供できる。
【００２０】
また、請求項３に記載の発明は上記の通りであり、操作部が操作されたときに、作動部が作動するとともに、作動部が形成された玩具取付部が摺動するように形成されている。このため、形態変化玩具は、基台上で形態変化しつつ、摺動するように形成されており、新規な印象を与える玩具装置を提供できる。
【００２１】
また、請求項４に記載の発明は上記の通りであり、基台は、外部から操作可能な補助操作部を更に備え、補助操作部と操作部との相対的位置が変化したときに作動部が作動するように形成されている。このため、補助操作部と操作部とを同時に操作した場合には、作動部を作動させずに玩具取付部を摺動させることができる。また、操作部を操作した状態で補助操作部を操作した場合には、玩具取付部を摺動後の状態に留まらせた状態で玩具取付部を作動させることができる。このように、形態変化と摺動動作とのバリエーションを持たせることができ、新規な印象を与える玩具装置を提供できる。
【００２２】
また、請求項５に記載の発明は上記の通りであり、基台の先端部には、他の基台と連結するための連結部が設けられ、前記玩具取付部は、基台の先端部方向に向かって摺動可能に形成されている。このため、複数の基台を連結することにより、他の形態変化玩具と相対させて遊ぶことができる。
【００２３】
この場合において、形態変化玩具が上記したような形態変化や摺動動作を行うようにして、これらの動作により他の形態変化玩具と対戦させるように形成することもできる。例えば、形態変化や摺動動作で形態変化玩具を互いにぶつけ合い、その衝撃で相手の形態変化玩具を基台から外すなどして転倒させることで勝敗を決することとしてもよい。このようにすれば、単に形態変化を楽しむだけでなく、対戦ゲームとして楽しむことができる玩具装置を提供できる。
【図面の簡単な説明】
【００２４】
【図１】第１の形態変化玩具の外観図である。
【図２】第１の形態変化玩具の底面図である。
【図３】第１の形態変化玩具の形態変化の過程を示す説明図である。
【図４】第１の形態変化玩具の回動機構を示す説明図である。
【図５】第１の形態変化玩具の腕部材が移動する様子を示す説明図である。
【図６】第１の形態変化玩具の形態変化後の外観図である。
【図７】第２の形態変化玩具の外観図である。
【図８】第２の形態変化玩具の底面図である。
【図９】第２の形態変化玩具の形態変化の過程を示す説明図である。
【図１０】第２の形態変化玩具の回動機構を示す説明図である。
【図１１】第２の形態変化玩具の形態変化後の外観図である。
【図１２】基台の外観図である。
【図１３】基台の分解斜視図である。
【図１４】基台が作動する様子を示す説明図である。
【図１５】基台に第１の形態変化玩具を取り付けた状態を示す図である。
【図１６】基台で第１の形態変化玩具を形態変化させた状態を示す図である。
【図１７】第１の形態変化玩具を補助操作部で作動させた状態を示す図である。
【図１８】基台に第２の形態変化玩具を取り付けた状態を示す図である。
【図１９】基台で第２の形態変化玩具を形態変化させた状態を示す図である。
【図２０】第２の形態変化玩具を補助操作部で作動させた状態を示す図である。
【図２１】基台を連結した状態を示す図である。
【図２２】基台を連結した状態を示す図（連結部を揺動させた状態）である。
【図２３】基台を連結した状態を示す図（第１の形態変化玩具を形態変化させた状態）である。
【図２４】基台を連結した状態を示す図（第２の形態変化玩具を形態変化させた状態）である。
【図２５】基台を連結した状態を示す図（対向させた形態変化玩具を形態変化させた状態）である。
【発明を実施するための形態】
【００２５】
以下、本発明の実施形態について、図を参照しながら説明する。
【００２６】
本実施形態は、第１の形態変化玩具１０と、第２の形態変化玩具１０と、の２つの形態変化玩具１０を備え、これら形態変化玩具１０を単独で形態変化させて遊ぶことができるのみならず、２つの形態変化玩具１０を組み合わせて遊ぶこともできるものである。
【００２７】
（第１の形態変化玩具１０）
まず、第１の形態変化玩具１０について説明する。
【００２８】
第１の形態変化玩具１０は、図１〜６に示すように、複数の回動部材２０を回動させることで第１の形態から第２の形態へと可逆的に形態が変化するものである。この第１の形態変化玩具１０は、前記第１の形態として輸送機器（具体的には、自動車）の形態をとり（図１参照）、前記第２の形態としてロボットの形態をとる（図６参照）ように形成されている。
【００２９】
この第１の形態変化玩具１０は、図１及び図２に示すように、後輪側で接地する底面１２を有するベース部材１１と、このベース部材１１に回動可能に連結された複数の回動部材２０と、を備えている。
【００３０】
前記ベース部材１１の内部には、水平ギア１４（操作子）が設けられており、この水平ギア１４を回転させることにより、前記複数の回動部材２０が回動して形態が変化するように形成されている。この水平ギア１４の下端部は、図１及び図２に示すように、底面１２からベース部材１１の外部へと突出しており、これにより、外部から操作可能な突出部１４ａを形成している。すなわち、この突出部１４ａを操作することで水平ギア１４が回転し、この水平ギア１４の回転によって、後述する回動機構を作動させ、複数の回動部材２０を回動させるようになっている。
【００３１】
ここで、第１の形態変化玩具１０は、図１及び図２に示すように、以下の回動部材２０を備えている。すなわち、ベース部材１１に連結されて自動車形態の上部を覆うように設けられる後部材３０と、この後部材３０と連結されて自動車形態の両側を覆う２つの腕部材４４と、ベース部材１１に連結されて自動車形態の内部に収容される前部材２１と、後部材３０と前部材２１とを連結して自動車形態のフロント部分を形成するリンク部材４０と、を備えている。
【００３２】
これらの回動部材２０は、水平ギア１４の回転によって回動するものであり、おおよそ以下のように第１の形態から第２の形態へと変化する。すなわち、図３に示すように、水平ギア１４の回転力を駆動力として後部材３０が立ち上げられるとともに、この後部材３０と連動して前部材２１が立ち上げられる。また、リンク部材４０が接触することによって２つの腕部材４４が軸回転し、この２つの腕部材４４が前方に突き出される。
【００３３】
以下、この形態変化について詳しく説明する。
【００３４】
図４は、第１の形態変化玩具１０に係る回動機構を示す説明図であり、この図４が示すように、ベース部材１１の内部には冠歯車部１６ａと平歯車部１６ｂとが一体形成された一体形成ギア１６が設けられている。そして、この一体形成ギア１６の冠歯車部１６ａが、前述した水平ギア１４と噛み合うように配置されている。このため、水平ギア１４の突出部１４ａを回転させると、水平ギア１４と噛み合った一体形成ギア１６が回転する。
【００３５】
更に、後部材３０の基部（自動車形態における後端部）には、前述した一体形成ギア１６の平歯車部１６ｂと噛み合う基部ギア３２が形成されているため、一体形成ギア１６が回転すると、基部ギア３２の中心に設けられた軸部３３を中心として、後部材３０が立ち上がる方向へと回動する。
【００３６】
ここで、前部材２１は、一端側が下軸支部２３を介してベース部材１１に回動可能に連結され、他端側が上軸支部２２を介してリンク部材４０に回動可能に連結されている。しかも、このリンク部材４０は、前部材２１と後部材３０とを連結しているため、これらベース部材１１、前部材２１、後部材３０、リンク部材４０、の４つの部材によって、４節を連結したリンク機構が形成されている。このリンク機構においては、ベース部材１１が固定節であり、後部材３０が原動節となっているため、上述したように後部材３０が立ち上がる方向へと回動すると、これに従属して前部材２１も作動し、下軸支部２３を回転中心として立ち上がる方向へと回動する。
【００３７】
そして、前部材２１及び後部材３０がほぼ垂直にまで立ち上がると、前部材２１の内側面と後部材３０の内側面とが当接して、それ以上回動しないようになっている。このため、前部材２１と後部材３０とがちょうどベース部材１１上に立ち上がる位置で回動がストップし、第２の形態への形態変化が完了する。
【００３８】
なお、図４に示すように、このリンク機構が作動する過程でリンク部材４０の内部に収容されていた後部材３０の先端が外部に露出するが、この後部材３０の先端部は形態変化後のロボット形態において頭部３１となるものである。
【００３９】
ところで、上記のように前部材２１及び後部材３０が立ち上げられて形態が変化しているとき、両側の腕部材４４は、リンク機構の作動によって移動したリンク部材４０と接触することにより、前方に突き出されるように回動する。
【００４０】
すなわち、腕部材４４は、図４に示すように、回転軸４５を軸として後部材３０に回動可能に取り付けられており、通常時においては、リングバネ４９によって自動車の形態に適した位置へと付勢されている。しかしながら、図５に示すように、水平ギア１４が回転することによりリンク部材４０が移動すると、腕部材４４はこのリンク部材４０に押動されて、リングバネ４９の付勢力に反して回転する。
【００４１】
ここで、図５は、上記したリンク機構が作動してリンク部材４０と腕部材４４とが接触する様子を示す図であり、この接触部を底面側から見た図である（図２参照）。この図５（ａ）に示すように、リンク機構が作動すると、リンク部材４０の前輪部４１は腕部材４４の方向へと移動する。すると、図５（ｂ）に示すように、前輪部４１の外周縁４１ａが腕部材４４の第１接触部４６と当接し、リングバネ４９の付勢力に反して腕部材４４を約９０度回転させる。
【００４２】
このとき、腕部材４４の第２接触部４７が前輪部４１の内側に入り込むため、更に前輪部４１が腕部材４４の方向へと移動すると、図５（ｃ）に示すように、前輪部４１の内周縁４１ｂが腕部材４４の第２接触部４７と当接し、更に腕部材４４を約９０度回転させる。このようにして、図５（ｄ）に示すように、腕部材４４は回転軸４５を中心に約１８０度回転して停止する。
【００４３】
ここで、腕部材４４は、図６に示すように、回転軸４５に対して約４５度の方向に延びているため、上記したように平面視において約１８０度回転したときに、側面視においては約９０度回転することになる。このため、形態変化完了時においては、腕部材４４は、図６に示すような前方に突き出した状態となる。
【００４４】
上記したように、水平ギア１４の突出部１４ａを回転させると、後部材３０が回動するとともにリンク機構が作動し、更に腕部材４４が回転させられて、図６に示すように、形態変化玩具１０が第２の形態であるロボットの形態に変化する。
【００４５】
すなわち、この第２の形態においては、図６に示すように、ベース部材１１が膝下脚部を形成し、後部材３０が背中及び頭部３１を形成し、腕部材４４が腕を形成し、前部材２１が前面の胴体部を形成し、リンク部材４０が胸部を形成することにより、両手を前に突き出して起立した姿勢のロボットの形態が構成される。
【００４６】
なお、上記では自動車の形態からロボットの形態へと変化する態様について説明したが、水平ギア１４の突出部１４ａを逆回転させれば、ロボットの形態から自動車の形態へと変化することは言うまでもない。すなわち、水平ギア１４の突出部１４ａを逆回転させると、前記したリンク機構が逆に作動し、前部材２１、後部材３０、及びリンク部材４０が、第１の形態を構成する位置へと回動する。そして、リンク部材４０が回動したことにより、腕部材４４と前輪部４１との係合が外れるため、リングバネ４９の不勢力に従い、腕部材４４が第１の形態を構成する位置へと回動し、第１の形態への形態変化が完了する。
【００４７】
以上のように、本実施形態に係る形態変化玩具１０は、外部から操作可能に形成された水平ギア１４を回転させることにより、回動機構が作動して形態が変化する。このため、外表面に形成されるのは水平ギア１４のみであり、玩具のデザインや機能を制限することなく、簡単な操作で形態を変化させることができる。
【００４８】
また、水平ギア１４は回転式であるため、スライド式や押下式などとは異なり、操作範囲が制限されない。すなわち、幅などの制限がなく回転数に応じて回動機構に駆動力を与えることができるため、回動機構の構成が制限されず、形態変化にバリエーションを持たせることができる。
【００４９】
水平ギア１４は、前記第１の形態及び前記第２の形態のいずれにおいても底面１２に形成されているため、玩具のデザインや機能に与える影響を最小限とすることができる。
【００５０】
（第２の形態変化玩具１０）
次に、第２の形態変化玩具１０について説明する。
【００５１】
第２の形態変化玩具１０は、図７〜１１に示すように、複数の回動部材２０を回動させることで第１の形態から第２の形態へと可逆的に形態が変化するものである。この第２の形態変化玩具１０は、前記第１の形態として輸送機器（具体的には、飛行機）の形態をとり（図７参照）、前記第２の形態としてロボットの形態をとる（図１１参照）ように形成されている。
【００５２】
この第２の形態変化玩具１０は、図１及び図２に示すように、後部側で接地する底面１２を有するベース部材１１と、このベース部材１１に回動可能に連結された複数の回動部材２０と、を備えている。
【００５３】
前記ベース部材１１の内部には、第１の形態変化玩具１０と同様に、水平ギア１４（操作子）が設けられており、この水平ギア１４を回転させることにより、前記複数の回動部材２０が回動して形態が変化するように形成されている。また、第１の形態変化玩具１０と同様に、この水平ギア１４の下端部は、図７及び図８に示すように、底面１２からベース部材１１の外部へと突出しており、これにより、外部から操作可能な突出部１４ａを形成している。すなわち、この突出部１４ａを操作することで水平ギア１４が回転し、この水平ギア１４の回転によって、後述する回動機構を作動させ、複数の回動部材２０を回動させるようになっている。
【００５４】
ここで、第２の形態変化玩具１０は、図７及び図８に示すように、以下の回動部材２０を備えている。すなわち、ベース部材１１に連結されて飛行機形態の上部を覆うように設けられる後部材３０と、この後部材３０と連結されて飛行機形態の両翼を形成する２つの腕部材４４と、ベース部材１１に連結されて飛行機形態の下部に設けられる前部材２１と、後部材３０と前部材２１とを連結して飛行機形態のノーズ部分を形成するリンク部材４０と、を備えている。
【００５５】
これらの回動部材２０は、水平ギア１４の回転によって回動するものであり、おおよそ以下のように第１の形態から第２の形態へと変化する。すなわち、図９に示すように、水平ギア１４の回転力を駆動力として後部材３０が立ち上げられるとともに、この後部材３０と連動して前部材２１が立ち上げられる。また、第２の形態変化玩具１０の内部に設けられた回動機構によって、２つの腕部材４４が前方に突き出されるように回動する。
【００５６】
以下、この形態変化について詳しく説明する。
【００５７】
図１０は、第２の形態変化玩具１０に係る回動機構を示す説明図であり、この図１０が示すように、ベース部材１１の内部には冠歯車部１６ａと平歯車部１６ｂとが一体形成された一体形成ギア１６が設けられている。そして、この一体形成ギア１６の冠歯車部１６ａが、前述した水平ギア１４と噛み合うように配置されている。このため、水平ギア１４の突出部１４ａを回転させると、水平ギア１４と噛み合った一体形成ギア１６が回転する。
【００５８】
更に、後部材３０の基部（飛行機形態における後端部）には、前述した一体形成ギア１６の平歯車部１６ｂと噛み合う基部ギア３２が形成されているため、一体形成ギア１６が回転すると、基部ギア３２の中心に設けられた軸部３３を中心として、後部材３０が立ち上がる方向へと回動する。
【００５９】
ここで、前部材２１は、一端側が下軸支部２３を介してベース部材１１に回動可能に連結され、他端側が上軸支部２２を介してリンク部材４０に回動可能に連結されている。しかも、このリンク部材４０は、前部材２１と後部材３０とを連結しているため、これらベース部材１１、前部材２１、後部材３０、リンク部材４０、の４つの部材によって、４節を連結したリンク機構が形成されている。このリンク機構においては、ベース部材１１が固定節であり、後部材３０が原動節となっているため、上述したように後部材３０が立ち上がる方向へと回動すると、これに従属して前部材２１も作動し、下軸支部２３を回転中心として立ち上がる方向へと回動する。
【００６０】
そして、前部材２１及び後部材３０がほぼ垂直にまで立ち上がると、前部材２１の内側面と後部材３０の内側面とが当接して、それ以上回動しないようになっている。このため、前部材２１と後部材３０とがちょうどベース部材１１上に立ち上がる位置で回動がストップし、第２の形態への形態変化が完了する。
【００６１】
なお、図１０に示すように、このリンク機構が作動する過程でリンク部材４０の内部に収容されていた後部材３０の先端が外部に露出するが、この後部材３０の先端部は形態変化後のロボット形態において頭部３１となるものである。
【００６２】
ところで、上記のように前部材２１及び後部材３０が立ち上げられて形態が変化しているとき、両側の腕部材４４は、形態変化玩具１０の内部に配置された回動機構によって、前方に突き出されるように回動する。
【００６３】
すなわち、形態変化玩具１０の内部には、図１０に示すように、内歯を有する半円弧状のギアプレート４２が設けられており、このギアプレート４２は、上軸支部２２及び回動軸４３によって、前部材２１と後部材３０とに連結されている。このため、水平ギア１４の突出部１４ａが回転して前部材２１と後部材３０との相対位置が変化すると、これに応動してギアプレート４２も回動軸４３を中心として回動する。なお、後部材３０の背面側には図示しない貫通孔が形成されており、回動することにより形態変化玩具１０の内部に収まりきらなくなったギアプレート４２の一部は、この貫通孔から突出するようになっている。
【００６４】
そして、このギアプレート４２の内歯には、図１０に示すように、腕部材４４の基端部付近に設けられた腕部ギア４８が噛み合っているため、ギアプレート４２が移動すると腕部ギア４８が回転し、腕部材４４が回動する。すなわち、図１０に示すように、前部材２１及び後部材３０が立ち上がる方向に回動した場合、ギアプレート４２は背面側に突出するように移動するため、腕部材４４は上方及び前方へと回動する。そして、図１１に示すように、最終的には腕部材４４は約２７０度回転し、形態変化完了時においては前方へ突き出されるようになっている。なお、約２７０度回転した腕部材４４は係止部２４に下方を支持されるため、それ以上回動しない。
【００６５】
上記したように、水平ギア１４の突出部１４ａを回転させると、後部材３０が回動するとともにリンク機構が作動し、更に腕部材４４が回転させられて、図１１に示すように、形態変化玩具１０が第２の形態であるロボットの形態に変化する。
【００６６】
すなわち、この第２の形態においては、図１１に示すように、ベース部材１１が脚部を形成し、後部材３０が背中及び頭部３１を形成し、腕部材４４が腕を形成し、前部材２１が前面の胴体部を形成し、リンク部材４０が胸部を形成することにより、両手を前に突き出して起立した姿勢のロボットの形態が構成される。
【００６７】
なお、上記では飛行機の形態からロボットの形態へと変化する態様について説明したが、水平ギア１４の突出部１４ａを逆回転させれば、ロボットの形態から飛行機の形態へと変化することは言うまでもない。すなわち、水平ギア１４の突出部１４ａを逆回転させると、前記したリンク機構が逆に作動し、前部材２１、後部材３０、及びリンク部材４０が、第１の形態を構成する位置へと回動する。そして、ギアプレート４２は形態変化玩具１０の内部へと収容される方向に移動するため、腕部材４４が第１の形態を構成する方向へと回動し、第１の形態への形態変化が完了する。
【００６８】
以上のように、本実施形態に係る形態変化玩具１０は、外部から操作可能に形成された水平ギア１４を回転させることにより、回動機構が作動して形態が変化する。このため、外表面に形成されるのは水平ギア１４のみであり、玩具のデザインや機能を制限することなく、簡単な操作で形態を変化させることができる。
【００６９】
また、水平ギア１４は回転式であるため、スライド式や押下式などとは異なり、操作範囲が制限されない。すなわち、幅などの制限がなく回転数に応じて回動機構に駆動力を与えることができるため、回動機構の構成が制限されず、形態変化にバリエーションを持たせることができる。
【００７０】
水平ギア１４は、前記第１の形態及び前記第２の形態のいずれにおいても底面１２に形成されているため、玩具のデザインや機能に与える影響を最小限とすることができる。
【００７１】
（基台５０を使用した形態変化）
上記したように、本実施形態に係る形態変化玩具１０は、第１の形態及び第２の形態のいずれにおいても底面１２に水平ギア１４の突出部１４ａが形成されている。このため、この底面１２を固定する基台５０を設け、この基台５０によって水平ギア１４の突出部１４ａを操作することができる。すなわち、基台５０を使用することにより、簡単な操作で形態変化玩具１０の形態を変化させることができる。
【００７２】
基台５０は、図１２に示すように、板状のベース体５１と、前記ベース体５１の内部に押し込み操作可能に形成された第１摺動体６０及び第２摺動体８０と、前記ベース体５１の基部両側に設けられたハンドル５４と、を備えている。
【００７３】
ベース体５１は、図１３に示すように、上カバー５２と下カバー５３とを上下に接合して構成され、上カバー５２の上面中央には開口５１ａが設けられている。このベース体５１の内部には第１摺動体６０及び第２摺動体８０が収容され、前述した開口５１ａからは、後述する玩具取付部６１の上面が露出している。また、反先端側の側面には、図１２に示すように、操作部突出口５１ｂが設けられており、この操作部突出口５１ｂからは、第１摺動体６０の操作部６８及び第２摺動体８０の補助操作部８１が突出している。
【００７４】
第１摺動体６０は、図１２に示すように、操作部突出口５１ｂから突出した操作部６８と、この操作部６８の先端部に設けられた玩具取付部６１と、を備えている。玩具取付部６１は形態変化玩具１０を取り付けるためのものであり、操作部６８を押し込み操作することによって、ベース体５１に対して相対的に摺動可能に形成されている。
【００７５】
前述したように、この玩具取付部６１の上面はベース体５１の開口５１ａから露出しており、図１２が示すように、形態変化玩具１０を取り付けるための差込固定部６２と、軸方向に嵌合孔６４ａを有する回転筒６４（作動部）と、が玩具取付部６１の内部から突出するように設けられている。この差込固定部６２及び回転筒６４は、いずれも形態変化玩具１０に連結される。すなわち、差込固定部６２は、形態変化玩具１０の差込爪１３に係合され、回転筒６４は、形態変化玩具１０の水平ギア１４に連結される。なお、回転筒６４と水平ギア１４との連結は、回転筒６４の嵌合孔６４ａに水平ギア１４の突出部１４ａを差し込むことで行われる。この嵌合孔６４ａ及び突出部１４ａは、いずれも蹄状に形成されているため、連結後に回転筒６４が回転されると、その回転力が水平ギア１４に伝達可能となっている。
【００７６】
この玩具取付部６１を摺動させるための操作部６８は、図１２に示すように、ベース体５１の操作部突出口５１ｂから突出した棒状部であり、外部から操作可能に形成されている。すなわち、この操作部６８をベース体５１の内部へ押し込むと、前記した玩具取付部６１が基台５０の先端方向に向かって摺動する。このため、玩具取付部６１に形態変化玩具１０を取り付けた上で操作部６８を押し込み操作すると、形態変化玩具１０も一緒に基台５０の先端方向へ移動するようになっている。
【００７７】
一方、第２摺動体８０は、第１摺動体６０と並列的にベース体５１の内部に収容されるものであり、第１摺動体６０の操作部６８と同様に、棒状の補助操作部８１を有している。この補助操作部８１も、図１２に示すように、ベース体５１の操作部突出口５１ｂから突出しており、外部から操作可能である。
【００７８】
第２摺動体８０は、図１３に示すように、ベース体５１の内部において第１摺動体６０と対向する面にラック８３が形成されており、第１摺動体６０の内部に配置されたピニオン６３と噛み合うようになっている。これにより、操作部６８と補助操作部８１との相対的位置が変化したときに回転筒６４が回転するように形成されている。
【００７９】
すなわち、操作部６８又は補助操作部８１のいずれかが操作されたことにより、操作部６８と補助操作部８１との相対的位置が変化すると、第２摺動体８０のラック８３により第１摺動体６０のピニオン６３に回転力が与えられる。このピニオン６３は、図１３に示すように、玩具取付部６１の内部において回転筒６４の下部に一体形成されたギア部６４ｂと噛合している。このため、ピニオン６３が回転すると回転筒６４が回転するようになっている。
【００８０】
このため、玩具取付部６１に形態変化玩具１０を取り付けた状態で操作部６８と補助操作部８１との相対的位置が変化すると、回転筒６４に連結された水平ギア１４が回転して、形態変化玩具１０の形態が変化する。
【００８１】
以下、玩具取付部６１の摺動動作及び回転筒６４の回転動作を図示した図１４を参照しつつ、詳しく説明する。
【００８２】
まず、図１４（ａ）が示すように、通常時においては、操作部６８及び補助操作部８１は、いずれもバネ８４によって後方へ付勢されており、言い換えると、ベース体５１の操作部突出口５１ｂから突出する方向へと付勢されている。
【００８３】
この状態で操作部６８のみを押し込み操作すると、図１４（ｂ）に示すように、玩具取付部６１が先端方向へと摺動するとともに、ラック８３上をピニオン６３が回転し、これにより回転筒６４が平面視で時計周りに回転する。このため、回転筒６４に形態変化玩具１０の水平ギア１４が連結されている場合、形態変化玩具１０の水平ギア１４が第１の形態から第２の形態へと変化する方向へ回転するようになっている。
【００８４】
また、図１４（ｂ）の状態から更に補助操作部８１を押し込み操作すると、図１４（ｃ）に示すように、玩具取付部６１の位置は先端方向に留まったままで、ラック８３上をピニオン６３が回転し、これにより回転筒６４が平面視で反時計周りに回転する。すなわち、操作部６８のみを押し込み操作した場合の回転方向とは逆の方向へと回転する。このため、回転筒６４に形態変化玩具１０の水平ギア１４が連結されている場合、形態変化玩具１０の水平ギア１４が第２の形態から第１の形態へと変化する方向へ回転するようになっている。
【００８５】
なお、図１４（ａ）に示すように、操作部６８の側面にはガイド突起６９が形成されるとともに、補助操作部８１の側面にはスリット８２が形成されており、このスリット８２に沿ってガイド突起６９を有する操作部６８が摺動するように形成されている。ここで、図１４（ａ）の状態において、スリット８２の端部がガイド突起６９に当接しているため、この図１４（ａ）の状態から補助操作部８１を押し込み操作した場合、操作部６８も一緒に押し込まれるように形成されている。このため、図１４（ａ）の状態から補助操作部８１を押し込み操作すると、玩具取付部６１が先端方向へと摺動するが、操作部６８と補助操作部８１との相対的位置が変化しないため、回転筒６４は回転せず、形態変化玩具１０の形態は変化しない。このように、補助操作部８１を押し込み操作することによって、形態変化玩具１０の形態は変化させずに、玩具取付部６１を摺動させることもできる。
【００８６】
ここで、図１５〜２０は、実際に基台５０に形態変化玩具１０を取り付けた様子を示す図であり、図１５〜１７は第１の形態変化玩具１０、図１８〜２０は第２の形態変化玩具１０に係るものである。
【００８７】
図１５及び図１８が示すように、操作部６８及び補助操作部８１が操作されていない場合には、形態変化玩具１０は第１の形態をとっている。
【００８８】
図１６及び図１９が示すように、操作部６８を可能な限り奥まで押し込み操作した場合には、玩具取付部６１（すなわち、形態変化玩具１０）が先端方向に摺動するとともに、形態変化玩具１０は第２の形態に変化する。
【００８９】
図１７及び図２０が示すように、操作部６８を可能な限り奥まで押し込み操作した状態で、補助操作部８１を押し込み操作すると、形態変化玩具１０は第１の形態と第２の形態との間の形態変化途中の形態に変化する。この補助操作部８１の操作を行うことで、形態変化玩具１０が動いている状態を表現することができる。すなわち、補助操作部８１を押し操作することで、図１７及び図２０が示すような前方に倒れ込んだ状態とするとともに、補助操作部８１の操作を解除すれば、図１６及び図１９が示すような直立姿勢に戻る。このとき、腕部材４４は前後に回動するため、ロボットが腕を前に打ちつける動作をさせることができる。
【００９０】
なお、図１２に示すように、ハンドル５４の先端部にはロック突起５４ａが設けられており、このロック突起５４ａをベース体５１のロック挿入口５３ａに差し込むことで、操作部６８を操作した状態に保つことができる。すなわち、ハンドル５４は、ハンドル回転軸５５を中心に回動可能に形成されているため、操作部６８を奥まで押し込み操作した状態でハンドル５４を回動させ、ロック突起５４ａをロック挿入口５３ａに差し込むと、このロック突起５４ａが操作部６８の側面に設けられたロック係合部７０の反先端方向側面７０ａに係合し、操作部６８がバネ８４の付勢力によって押し戻されるのをロックするようになっている。このように操作部６８をロックすれば、補助操作部８１のみを押し操作すればよいため、玩具取付部６１を先端方向に位置させたままで、上記したような形態変化玩具１０の動きを表現させることができる。
【００９１】
以上のように、本実施形態に係る形態変化玩具１０は、基台５０を操作することで形態変化玩具１０の形態を変化可能に形成されているため、異なる形態変化玩具１０を基台５０に装着した場合でも同じ操作で形態変化を実行できる。
【００９２】
また、形態変化玩具１０は底面１２が基台に設置されてベース部材１１の上に立ち上がるように形態変化する。しかも、玩具取付部６１を基台５０上で摺動させたり、ベース体５１を回動操作したりできるため、これらの操作を単独又は組み合わせておこなうことにより、従来にないバリエーションに富んだ操作が可能である。
【００９３】
（対戦玩具としての遊び方）
上記したように、本実施形態によれば、形態変化専用の基台５０を操作することで形態変化玩具１０の形態を変化させることができるため、簡単な操作で形態変化玩具１０の形態を変化させることができる。しかも、単に形態変化玩具１０の形態を変化させるのみならず、形態変化玩具１０を前後に摺動させることもできる。また、操作部６８を操作した状態で更に補助操作部８１を操作することによって、形態変化玩具１０の動きを表現することもできる。このような特徴を利用すれば、本実施形態の複数の形態変化玩具１０を組み合わせることによって対戦型の玩具として使用できる。
【００９４】
すなわち、基台５０の先端には、図１３に示すように、他の基台５０と連結するための連結部５６が設けられている。この連結部５６の突端面には、図１３や図２１に示すように、他の連結部５６と対向させたときに互いに噛み合うように嵌合溝５８が形成されている。この嵌合溝５８を噛み合わせれば、図２１に示すように、２つの基台５０の先端が連結され、この２つの基台５０それぞれに取り付けられた２つの形態変化玩具１０が対向して配置されることになる。
【００９５】
なお、この連結部５６は、軸孔５７を回転中心として水平方向に回動可能にベース体５１に取り付けられている。このため、基台５０同士が連結されている場合であっても、図２１及び図２２に示すように、ベース体５１はこの軸孔５７を中心として水平方向へ回動可能である。
【００９６】
このように２つの基台５０の先端を連結した状態で、操作部６８を操作すると、図２３及び図２４に示すように、形態変化玩具１０は先端方向へ移動しつつロボットの形態へと変化する。
【００９７】
連結した基台５０上の２つの形態変化玩具１０を対向させてロボットの形態へと変化させると、図２５に示すように、互いに組み合った状態となる。この状態で補助操作部８１を操作すると、前述したように腕部材４４が前後に回動するため、２つのロボットが互いに腕を打ちつける動作をする。
【００９８】
このように、操作部６８を操作して形態変化玩具１０を前後に移動させたり、補助操作部８１を操作して相手の形態変化玩具１０に腕を打ちつける動作をさせたり、ベース体５１を水平方向に回動させたりすることにより、形態変化玩具１０同士を衝突させたり、衝突を回避したりして、形態変化玩具１０を対戦させて遊ぶことができる。このような対戦玩具としての遊び方としては、例えば、相手の形態変化玩具１０を基台５０から弾き飛ばすことにより勝敗を決することとしてもよい。
【００９９】
以上説明したように、本実施形態に係る形態変化玩具１０は、複数の基台５０を連結して遊べるため、他の形態変化玩具１０と相対させて遊ぶこともでき、単に形態変化を楽しむだけでなく、対戦ゲームとして楽しむことができる。
【符号の説明】
【０１００】
１０  形態変化玩具              １１  ベース部材
１２  底面                      １３  差込爪
１４  水平ギア（操作子）        １４ａ  突出部
１６  一体形成ギア              １６ａ  冠歯車部
１６ｂ  平歯車部                ２０  回動部材
２１  前部材                    ２２  上軸支部
２３  下軸支部                  ２４  係止部
３０  後部材                    ３１  頭部
３２  基部ギア                  ３３  軸部
４０  リンク部材                ４１  前輪部
４１ａ  外周縁                  ４１ｂ  内周縁
４２  ギアプレート              ４３  回動軸
４４  腕部材                    ４５  回転軸
４６  第１接触部                ４７  第２接触部
４８  腕部ギア                  ４９  リングバネ
５０  基台                      ５１  ベース体
５１ａ  開口                    ５１ｂ  操作部突出口
５２  上カバー                  ５３  下カバー
５３ａ  ロック挿入口            ５４  ハンドル
５４ａ  ロック突起              ５５  ハンドル回転軸
５６  連結部                    ５７  軸孔
５８  嵌合溝                    ６０  第１摺動体
６１  玩具取付部                ６２  差込固定部
６３  ピニオン                  ６４  回転筒（作動部）
６４ａ  嵌合孔                  ６４ｂ  ギア部
６８  操作部                    ６９  ガイド突起
７０  ロック係合部              ７０ａ  反先端方向側面
８０  第２摺動体                ８１  補助操作部
８２  スリット                  ８３  ラック
８４  バネ
【図１】
2011254988.tif 000003
【図２】
2011254988.tif 000004
【図３】
2011254988.tif 000005
【図４】
2011254988.tif 000006
【図５】
2011254988.tif 000007
【図６】
2011254988.tif 000008
【図７】
2011254988.tif 000009
【図８】
2011254988.tif 000010
【図９】
2011254988.tif 000011
【図１０】
2011254988.tif 000012
【図１１】
2011254988.tif 000013
【図１２】
2011254988.tif 000014
【図１３】
2011254988.tif 000015
【図１４】
2011254988.tif 000016
【図１５】
2011254988.tif 000017
【図１６】
2011254988.tif 000018
【図１７】
2011254988.tif 000019
【図１８】
2011254988.tif 000020
【図１９】
2011254988.tif 000021
【図２０】
2011254988.tif 000022
【図２１】
2011254988.tif 000023
【図２２】
2011254988.tif 000024
【図２３】
2011254988.tif 000025
【図２４】
2011254988.tif 000026
【図２５】
2011254988.tif 000027